(57)【要約】      （修正有）【課題】近未来以降に地球衝突の大危機を回避する目標への技術蓄積・向上を図りつつ、小天体の活用を目標とする養護システムを提供する【解決手段】高速推進可能な推進部・必要事項を観測可能な観測部を備えた誘導体の操作部によって、略ワイヤ（紐）状または略網状または略平板状の捕収体の引部を長短調節自在に連結し、該捕収体で小天体を捕収して仮一体化し、該小天体の地球衝突による大地震・大津波・生体系の（半）滅亡・等の大危機の回避を図る回避体と、該小天体の周辺の他の小惑星や宇宙全体を小惑星滞の位置から観測し諸種の処置をする観測体と、該小天体の材質を必要量採取して別便で地球へ送達する採取体と、該小天体（小惑星）を地球周辺に配備された防護装置の製作系までの運搬を可能とする運搬体と、該製作系に於いて該小天体の本保持までの間仮保持し該小天体の材質の活用を可能とする活用体、等の多目的の使命を担う養護システム。【選択図】なし【特許請求の範囲】
【請求項１】
略ワイヤ（紐）状または略網状または略平面状をなし外周縁等に引部を備え小天体（小惑星・彗星）等を捕収すべき捕収体と、高速推進が可能な推進部・必要事項を観測可能な観測部・該捕収体の引部を長短調節自在に連結し該小天体を的確に捕収して仮一体化し最適の誘導を可能とするよう構成された誘導体と、該誘導体の推進部や該捕収体の捕収状況及び該観測部による観測の画像やデータを分折し地球管制体の大型電子計算機と連携しつつ各体の最適の制御を可能とするようネットワークに構成された制御体と、を具備した養護システムを有することを特徴とする養護装置。
【請求項２】
前記養護システムは、前記誘導体に付設された操作部から略輪状に突出された複数本の捕収体の中に小惑星を挿通して該操作部で該捕収体の輪を引込んで締め付けて仮一体化を可能とする前記誘導体・捕収体と、該誘導体の電源や太陽電池の電源で該小惑星の周辺の他の多数の小惑星群を観測しつつ宇宙全体を観測する観測部を備えた観測体と、該小惑星の材質を採取して別便で地球への送達を可能とする採取体と、を具備した請求項１に記載の養護装置。
【請求項３】
前記養護システムは推力・非推力の大きい新ロケットが未開発の現在に於ても比較的短期間に小惑星滞まで到達・往復や地球近接の小天体に到達可能にするよう、地球周辺の無重力空間に多数個が貯留・蓄積され化学燃料を収納し相互に連結可能に構成された外筒を有する化燃ユニットと、該化燃ユニットを必要個数ほど該無重力空間で連結し該到達・往復可能に構成された誘導ユニットと、該化燃ユニットの配備・連結等の一切及び加速・減速の一切を制御するよう構成された制御体と、を具備した請求項１に記載の養護装置。
【請求項４】
前記養護システムは、表面に多数枚の太陽電池板を装備した彗星核の断面以上の大きさを有する平板状の捕収体と、該捕収体を該彗星核の太陽側に配備するよう構成された誘導体と、該捕収体によって遮断さされ消滅される彗星核の尾で太陽光の照射を受け、太陽側の表面に装備された太陽電池板の発電の電力によって該彗星核の（氷）の融解及び水の電気分解及び液体水素・液体酸素の生成やそれらの充填によって構成され多数個が連結される化燃ユニットと、を具備した請求項１に記載の養護装置。
【請求項５】
前記捕収体・前記誘導体・前記制御体の組合せの養護システムによって、略ワイヤ（紐）状または略網状または略平板状の捕収体の引部を長短調節自在に連結し、該捕収体で小天体（小惑星・彗星）を補収して仮一体化し、該小天体の地球衝突による大地震・大津波・最悪の場合生体系の（半）滅亡・等の大危機の回避を図る回避体と、該小天体（小惑星）の周辺の他の小惑星や宇宙全体を小惑星滞の位置から観測し諸種の処置を可能とする観測体と、該小天体の材質を必要量採取して別便で地球への送達を可能とする採取体と、該小天体（小惑星）を地球周辺に配備された防護装置の製作系（特許第２９０６１６５号）までの運搬を可能とする運搬体と、該製作系に於いて該小天体の本保持までの間仮保持し該小天体の材質の活用を可能とする活用体と、等の多目的の使命を担い近未来以降に早晩地球衝突の運命的な大危機を回避する目標への技術蓄積・向上を図るようにした請求項１に記載の養護装置の使用方法。
【請求項６】
ワイヤ（紐）等によって略輪状に形成された前記補収体を装備する誘導体が小惑星滞に到達する段階と、該捕収体の輪の中に小惑星を挿入する段階と、該捕収体の引部を締付て前記観測部・採取部を装備した誘導体を該小惑星に仮一体化する段階と、該誘導体が宇宙の一拠点として諸種の機能を発揮する段階と、を具備した請求項１に記載の養護装置の使用方法。
【発明の詳細な説明】
【技術分野】  本発明は小惑星に仮一体化することによって小惑星の材質・配置・軌道・全体像や宇宙の全体的観測等小惑星の徹底的研究の一手段を開発し、近未以降・中未来以降に早晩運命的とされる小天体の地球衝突・地球の第２金星化等の大危機を極力回避する可能性を、現在の技術から階段上昇的に高める最初の一手段を開発して近未来以降への運命に対する備えの一手段を図るものである。
【背景技術】  ２０世紀は去り、私達は２１世紀を迎えすでに１０年が過ぎた。ここで２０・２１世紀の時代を人類の歴史や地球の歴史上より顧みることは、単に１つの世紀の区切りの時代ということのみに止まらず極めて重要な意義を有することになった。
恐らくこの数１０年の世界の対応如何が、未来に向けて末永く生存するべき人類の運命を左右しかねない程、重要な意義を持つと予測される事態に至ってきた。
資源の枯渇・地球温暖化・廃棄物の増大・日常生活での健康問題・等への危機的傾向が深刻さを増し、いずれも全地球規模の課題となりつつあるからである。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源枯渇の問題・地球温暖化の問題という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量は爆発的に増大するに至り、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。
このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。
生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。
地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。
地球環境はある方向へ傾斜し始めたら回復困難な非可逆的な性質をもっている。
地球環境の諸問題は今ならまだどうにか取組みが間に合うかもしれないが、時期を失せぬ中に早急かつ慎重な応急的対策をとらなければ難しくなるものが多い。
地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返した２０・２１世紀の人類の活動の全てが個々の立場に於て検証され、最善の対策が図られるべき必要に迫られてきた。
前記したように私達は便利さと、快適さと、物資の豊さと、を手に入れたのと引換えに毎日実に多くの資源やエネルギーを消費している。例えば、我国では１年間に排出される一般廃棄物は約５千万トン（東京ドームの１３８杯分）を越え、産業廃棄物は約４億トン（同１１０４杯分）を越えている。後者では最終処分場があと１．６年で満杯となり以後は廃棄する場所に困窮するとされている。
このような大量の廃棄物の原因になっているものは、日常生活や経済活動で使用され捨てられた膨大な製品の集積であり、膨大な製品は実に大量の資源やエネルギーを使って製作されたものである。大量生産・大量消費・大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以後の近未来に深刻な影響を及ぼす地球規模の課題である。上記これらの諸課題には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。
２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０・２１世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現在の地球環境問題にも未来の地球・人類には天体上の諸理由によって起る危機、正に大危機と呼ばれる試練が待ち受けている。過去複数回到来したものは未来も複数回到来するであろう。例えば氷期の到来の課題然り、小惑星の地球衝突の課題然りである。それらは枠外れの厳冬や大地震よりさらにレベルが異る大危機である。以上は相当現在に近い近未来〜中未来の切実で大きな課題である。
相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も――時には技術開発や実用化が間に合わず大打撃を受る可能性があるか無いかは現時点では判明できないが――何とか解決して乗り越え生き延びる可能性は残っていると推定される。それは技術開発が目標を持って開発済みの蓄積技術を土台にして、一歩一歩階段を登るようにより困難な課題の技術を解決し克服し高度な技術を手中にする“蓄積・向上する”創造力を備え、手法・機器を人類が持っているからである。
【先行技術文献】
【特許文献】
【特許文献】特許第２９０６１６５号
【発明の概要】
【発明が解決しようとする課題】  未曾有の天災である地球の大地震・大津波よりも大規模の大地震・大津波の到来が心配されている小天体の地球衝突による大地震・大津波及び最悪の場合は地球の生体系の滅亡の原因になると推定される小天体（小惑星・彗星）の地球衝突の回避の課題、近未来以降にいずれ早晩人類の活用は不可避とされながらその材質・位置・大きさ等々詳しい調査が困難な課題、他の小惑星の近距離からの観測が必要であるが困難な課題、近未来以降に小惑星の材質は種々の活用例えば防護装置（特許第２９０６１６５）の製作に早晩必要とされるが地球近傍の製作系まで運搬することが困難な課題、等々山積していたが解決することが難しいという課題があった。また推力・比推力の大きい推進部（ロケット）が必要であるが新ロケットの開発が望まれながら現在の状況では未だ開発・実用化が難しいという課題があった。
【課題を解決するための手段】  ワイヤ（紐）状または網状または平面状の捕収体と、その引部を長さが調節自在とされる操作部・観測部・推進部を備えた誘導体と、小天体の位置や捕収体による捕収状況を制御する制御体と、を備えた養護システムを開発する。これによって「要約書」に記載した各体の構成を可能とし諸種の課題解決の一手段とする。
新ロケットの開発が遅れている課題は現在の化学燃料、例えば液体水素・液体酸素を収納した複数個の化燃ユニットを地球周辺の無重力軌道に貯留・蓄積しており多段式に連結することによって加速度及び減速力を付加することで解決する。
これによって地球に衝突しようとする小天体まで到達し推跡する速度を引出せないか、または小惑星滞まで比較的に短期間に到達し、かつ地球に少量の材質を積載して帰還できないかの推定を図る。なお、化燃ユニットは彗星の核を捕収する手段はできないかの研究・検討を進めて経済的解決の一手段とする。
【発明の効果】（１）  近未来以降に早晩運命的とされる小天体の地球衝突の確率・時機・小天体の大きさ・衝突速度・位置・等によってその影響は種々異るが非常に難しい課題である。小天体、例えば小惑星は現在約２０万個以上が発見されている。小惑星は主として火星と木星の軌道の間に輪状に点在しており、その大きさは直径数１０ｍから１０００キロメートルまで多種類があり、その材質も種々ありうる。
小惑星の中には地球に衝突する可能性があるものがある。約６５００万年前に恐竜が絶滅したのは、直径が約１０キロメートル程の小惑星が地球に衝突したためだとされている。近未来以降にこのように大きい小惑星が地球に衝突するようなことがあれば未曾有の大危機である。人類存亡の大危機であるとされている。
人類の近未来以降の運命に係る人類史的な課題だとされているが難しい問題である。地球に衝突する軌道をもつ惑星が発見されてからではすでに手遅れとなる。
技術の実用化は一朝一夕には到底無理である。一歩一歩実現に近づけることである。
本件の開発はそのような段階を踏むための１つのステップとして種々検討を重ねた。
本来なら推力・比推力の大きい新ロケットの開発・実用化の後なら可能性は深い。
多段式ロケットの推進力・推進速度でどの程度可能性があるか研究段階である。
もし、仮にその他の手段もあるとすれば各々が実現可能性を深めるべきである。
本件の手段によれば、引部の長さを調節可能とすれば相当大きな小惑星にも適用できると推定される。また、小惑星の軌道修正も的確に行える見通しがつく。新ロケットが開発・実用化されたならば一挙に可能性が深まるので一つの手段となる。
（２）  養護システムは捕収体が平板状のものでも高速運搬が可能とすれば地球に近い軌道をもつ彗星の捕収も不可能ではなくなる。例えば図４に示すように彗星核の太陽側に捕収体を配備すれば彗星の尾は消滅する。従って平板状の捕収体の表面に多数枚の太陽電池板を装備すればその発電による電力で彗星核（氷）の融解・その水の電気分解で相当大量の液体水素・液体酸素が生成される。これらは化燃ユニットとして多数個地球近傍の無重力の公転軌道に貯留でれれば多段式ロケットの構成が可能であるから、新ロケットには到底及ばないとしても宇宙空間での加速・減速が可能となるので養護システムとしての可能性は深まる効果がある。
（３）  養護システムは、略ワイヤ（紐）状の捕収体であれば図３に示すように小惑星滞に到達後に小惑星の１個と仮一体化できる。捕収体はあらかじめ輪状に形成しておくことによって、その輪の中に小惑星を挿入してワイヤ（紐）を操作部で絞付て仮一体化できる。従って、他の多数の小惑星を比較的に近い距離で観測して可能な限りのデータを地球に送信できる。問題はその電源で太陽光の照射は遠距離のため微弱と推定されるので現在の肉薄太陽電池によって電力がまかなえるか否かである。また、小惑星と仮一体されることは至近距離で小惑星の材質を必要な程採取することが可能である。従って、地球と往復可能な別便の養護体によってその材質を地球に略自動的に地球に送達することが可能である。これらのことは小惑星がどのような性質をもった天体であるかの性質を詳細に研究できるのできわめて重要である。しかも、単に輪状のワイヤ等の中に小惑星を挿入後絞付ることは現在の技術で可能であるから小惑星の研究に不可欠な拠点となる。
さらに、小惑星の１つから地球と全く異る位置から宇宙を観測できる。このことは小惑星の中でどれが地球に衝突する危険性が高いかをより具体的に研究できる。
小惑星はその外面は種々複雑な形状をしているがこれと仮一体化するには複数のワイヤ（紐）状のものを略輪状に形成して絞付るのが最もエネルギーを少くして的確に成し得る有効で実用的な手段ではないかと推定される。
（４）  養護システムは、略ワイヤ（紐）状・略網状・略平面状の捕収体であればそのいずれにしても小惑星と仮一体化して地球近傍の防護装置の製作系（特許第２９０６１６５）まで運搬することも新ロケットに依れば不可能でない。
このような養護体を多数個一定の間隔または期間をおいて略連続的に製作系が必要とする量だけ略自動的に運搬できる。このことは地球近傍の製作系と小惑星滞とが相当の距離が離れていながら多数の小惑星が地球近傍に存在することと同じ意義がある。防護装置の基地系集団を構成するには相当大量の鉄等の材料を必要とするが、そのためには小惑星の活用が不可欠である。地球はいずれ太陽の活動との関係で地球高温化（第２金星化）の運命にあるが、これを防止するには防護装置に依らざる得ないと推定されている。防護装置は新ロケットの開発によって実用化が可能となれば地球高温化の防止以外にも種々の効果を挙げうると推定される。
（５）  養護システムは、小惑星滞に安定した軌道で公転する小惑星の１つに仮一体化されれば、小惑星自体の材質上の研究が加速するので、小惑星の宇宙に於ける種々の近未来以後の材料資源としての活用が新ロケットの開発・実用化後に一挙に加速される。さらに、その新ロケットの開発・実用化までに小惑星を近距離から深い研究が進められるので、その他の小惑星の配置状態や軌道等も含め全体像を研究しておけば近い将来の産業上の利用として宇宙の活用が考えられる。宇宙の材料資源が地球近傍にまで運搬可能となればその材料資源を加工するための宇宙工場の製作系（特許第２９０６１６５関連出願）が重要となる。小惑星の製作系までの運搬が略自動化されれば定常化で多数の運搬体の配備により小惑星の材料資源は地球近傍と同一となるので広く宇宙の活用への道が開かれる可能性が深ると推定される。
新ロケットの開発・実用化が待望されるが、それまでに現在の技術で小惑星を研究し尽しておくことである。そのためには１〜数個の小惑星への仮一体化は大きな意義がある。また、小惑星の研究は太陽系の起源に関わる純粋な科学的意義もある。現在の技術で仮一体化が宇宙開発の一拠点となる可能性が深ると推定される。
小惑星の大きさは大〜小で形状も細長であるから、適当な大きさのものを選抜すれば輪状の捕収体の中に挿入して引部を絞付れば極めて簡単に仮一体化できる。
全ての小惑星の軌道が近い距離から観測でき、相当離れた位置の複数の小惑星から軌道を観測して確実化できるので地球に衝突する可能性がある小惑星の軌道もいち早く的確な情報を地球管制体に送信できる。従って、近未来以降の大危機を早期に発見して的確な対応をとることができるから事前に危機脱出の一手段となる。
【図面の簡単な説明】
【図１】図１は２０・２１世紀の資源・環境の変化を示す図である。
【図２】図２は養護システムの一実施例を示す図である。
【図３】図３は養護システムの他の実施例を示す図である。
【図４】図４は養護システムの他の実施例を示す図である。
【図５】図５は制御体のネットワークの状態を示す模式図である。
【発明を実施するための形態】
小天体の地球衝突による大地震・大津波・最悪の場合生体系の（半）滅亡・等の大危機の回避を図る回避体と、該小天体（小惑星）の周辺の他の小惑星や宇宙全体を小惑星滞の位置から観測し諸種の処置を可能とする観測体と、該小天体の材質を必要量採取して別便で地球への送達を可能とする採取体と、該小天体（小惑星）を地球周辺に配備された防護装置の製作系（無重力の宇宙空間に配備）までの運搬を可能とする運搬体と、該製作系に於いて該小天体の本保持までの間仮保持し該小天体の材質の活用を可能とする活用体と、等の現在・近未来以降の多数の目的を、現在の最新技術を基盤にして階段上昇的に実現を図るものである。
【実施例】  図２は養護システムの一実施例を示す図、図３は養護システムの他の実施例を示す図、図４は養護システムの他の実施例を示す図、図５は制御体のネットワークの状態を示す模式図である。また、Ａ００は養護システム、Ａ１０は捕収体、Ａ１１が引部、Ａ２０は誘導体、Ａ２１は推進部、Ａ２２は観測部、Ａ２３は操作部、Ａ３０は制御体、Ａ３１は小型計算機、Ａ３２は大型計算機、Ａ４１は化燃ユニット、Ａ４２は本体ユニット、Ａ５１は回避体、Ａ５２は観測体、Ａ５３は採取体、Ａ５４は運搬体、Ａ５５は活用体である。
誘導体Ａ２０は推進部Ａ２１、観測部Ａ２２、操作部Ａ２３等を保持しており、捕収体Ａ１０を突出している。また、誘導体Ａ２０は制御体Ａ３０の小型計算機Ａ３１を塔載し、小型計算機Ａ３１は地球管制体Ａ３３の大型計算機Ａ３２等とネットワークを構成している。小型計算機Ａ３１は大型計算機Ａ３２や地球管制体の管制者の指令をうけて、または可能な範囲で自動制御の機能によって誘導体Ａ２０の推進部Ａ２１・観測部Ａ２２・操作部Ａ２３及び捕収体Ａ１０等養護システムの全てを総合的に制御するよう構成されている。また、宇宙空間に複数個の養護システムＡ００が配備された場合は全ての小型計算機Ａ３１は地球上の大型計算機Ａ３２を中心にネットワークが構成されている。また、新ロケットが開発・実用化され防護装置やその製作系が配備された場合はそれらの小型計算機と地球上の大型計算機Ａ３２と全てネットワークに構成される。
【産業上の利用可能性】（イ）  養護システムは、小惑星滞に安定した軌道で公転する小惑星の１つに仮一体化されれば、小惑星自体の材質上の研究が加速するので、小惑星の宇宙に於ける種々の近未来以後の材料資源としての活用が新ロケットの開発・実用化に一挙に加速される。さらに、その新ロケットの開発・実用化までに小惑星を近距離から深い研究が進められるので、その他の小惑星の配置状態や軌道等も含め全体像を研究しておけば近い将来の産業上の利用として宇宙の活用が考えられる。宇宙の材料資源が地球近傍にまで運搬可能となればその材料資源を加工するための宇宙工場の製作系（特許第２９０６１６５関連出願）が重要となる。小惑星の製作系までの運搬が略自動化されれば定常化で多数の運搬体の配備により小惑星の材料資源は地球近傍に同一となるので広く宇宙の活用への道が開かれる可能性が深ると推定される。
新ロケットの開発・実用化が待望されるが、それまでに現在の技術で小惑星を研究し尽しておくことである。そのためには１〜数個の小惑星への仮一体化は大きな意義がある。また、小惑星の研究は太陽系の起源に関わる純粋な科学的意義もある。現在の技術で仮一体化が宇宙開発の一拠点となる可能性が深ると推定される。
【符号の説明】Ａ００…養護システム、Ａ１０…捕収体、Ａ１１…引部、Ａ２０…誘導体、Ａ２１…推進部、Ａ２２…観測部、Ａ２３…操作部、Ａ３０…制御体、Ａ３１…小型計算機、Ａ３２…大型計算機、Ａ４１…化燃ユニット、Ａ４２…本体ユニット、Ａ５１…回避体、Ａ５２…観測体、Ａ５３…採取体、Ａ５４…運搬体、Ａ５５…活用体。
［受託番号］
［配列表フリーテキスト］
［配列表］
明細書                ［発明の名称］      ［技術分野］
［先行技術文献］      ［発明の概要］      ［図面の簡単な説明］
［発明を実施するための形態］              ［産業上の利用可能性］
［符号の説明］        ［受託番号］        ［配列表フリーテキスト］
［配列表］            特許請求の範囲      要約書                図面
【図１】
2013023205.tif 000002
【図２】
2013023205.tif 000003
【図３】
2013023205.tif 000004
【図４】
2013023205.tif 000005
【図５】
2013023205.tif 000006